(57)【要約】【課題】浄化処理能力が向上し、処理スピードを上げた場合でも、完全に浄化処理でき、より安定的で確実な浄化処理が期待でき、比較的面積の大きい活性炭フィルターや消臭剤等を排気カバーに設置できるようになり、構成簡素で、量産に適し、コンパクトで、省スペースとなり、メンテナンスや取扱いも容易で、比較的低廉で、経済的な喫煙用空気浄化装置を提供する。【解決手段】脚本体１と、ベース板２と、吸込ヘッド４と、排気カバー５と、脚本体１の煙導入路６に二段以上に配した消煙ユニット１０と、ファン１５とを備え、吸込ヘッド４には複数の吸気孔を設け、排気カバー５には複数の排気孔を設け、ファン１５の作動で、吸込ヘッド４から吸込んだ煙草の煙を含む周囲の空気を複数段の消煙ユニット１０で順次浄化し、排気カバー５の排気孔から排出できるよう構成する。【選択図】          図２
2005000750.tif 000002
【特許請求の範囲】
【請求項１】
指定された適宜喫煙場所等に設置されて、煙草の煙を含む周囲の空気を吸込んで浄化してから排気できるようにした喫煙用空気浄化装置であって、内部に煙導入路を有する脚本体と、この脚本体を立設支持するベース板と、脚本体の煙導入路に連通されると共に、上部の吸気用開口部がわに配される吸込ヘッドと、脚本体の下部に設けた排気用開口部に連通されると共に、湾曲凸面状に形成される排気カバーと、脚本体の煙導入路に二段以上に配されると共に、複数の電気集塵器を利用した消煙ユニットと、脚本体の下部に配されるファンとを備え、吸込ヘッドには複数の吸気孔を設け、排気カバーには複数の排気孔を設け、前記ファンの作動によって、吸込ヘッドの吸気孔から煙草の煙を含む周囲の空気を吸込み、これを複数段の消煙ユニットで順次浄化した後、排気カバーの排気孔から排出できるように構成したことを特徴とする喫煙用空気浄化装置。
【請求項２】
指定された適宜喫煙場所等に設置されて、煙草の煙を含む周囲の空気を吸込んで浄化してから排気できるようにした喫煙用空気浄化装置であって、内部に煙導入路を有する脚本体と、この脚本体を立設支持するベース板と、脚本体の上部に互換装着可能に取付けられるテーブル板と、脚本体の煙導入路に連通されると共に、上部の吸気用開口部に昇降自在に装着されて、テーブル板から出没自在となるように形成される吸込ヘッドと、少なくとも脚本体の下部に設けた排気用開口部を覆うように、脚本体側部に取外し可能に装着されると共に、湾曲凸面状に形成される排気カバーと、脚本体の煙導入路に二段以上に配されると共に、複数の電気集塵器を利用した消煙ユニットと、脚本体の下部に配されるファンとを備え、吸込ヘッドには複数の吸気孔を設け、排気カバーには複数の排気孔を設け、前記ファンの作動によって、吸込ヘッドの吸気孔から煙草の煙を含む周囲の空気を吸込み、これを複数段の消煙ユニットで順次浄化した後、排気カバーの排気孔から排出できるように構成したことを特徴とする喫煙用空気浄化装置。
【請求項３】
吸込ヘッドの内表面近傍にスライド板を配すると共に、吸込ヘッドに対してスライド板が摺動自在となるように形成し、スライド板に、吸込ヘッドの吸気孔に略合致するような複数の吸気孔を設け、スライド板の摺動操作によって、吸込ヘッドの吸気孔とスライド板の吸気孔との貫通開口部分の面積を自在に調節できるよう構成したことを特徴とする請求項１または請求項２記載の喫煙用空気浄化装置。
【請求項４】
脚本体の煙導入路内に仕切壁を配して、長い煙導入路を形成し、この煙導入路に多数の消煙ユニットを配したことを特徴とする請求項１または請求項２または請求項３記載の喫煙用空気浄化装置。
【発明の詳細な説明】
【０００１】
【発明の属する技術分野】
本発明は、例えば、公共施設やその他の建造物内等に於いて指定された適宜喫煙場所等に設置されるもので、煙草の煙を含む周囲の空気を効率良く吸込むと共に、これを確実に浄化してからスムーズに排気できるようにして、喫煙場所等がより快適な空間となるように工夫した喫煙用空気浄化装置に関するものである。
【０００２】
【従来の技術】
従来、この種の喫煙用空気浄化装置としては、例えば、特許文献１のような室内空気清浄機が提案されている。
これは、箱状に形成されたケース本体と、このケース本体内に該ケース本体の投影面積よりも大きい表面積を有して斜めに配設された集塵セルと、この集塵セルを通して空気を吸引するファンと、前記ケース本体の上部に固設された灰皿載置台と、この灰皿載置台に載置される灰皿ユニットとを有し、この灰皿ユニットは、前記灰皿載置台に間隔をおいて載置される灰皿受けと、この灰皿受けに空気の流通を許容するよう周縁が係止される灰皿本体と、多数の穴を有する蓋板とで構成され、前記ファンの駆動により前記蓋板の穴、灰皿受けと灰皿本体周縁との間、および灰皿受けと灰皿載置台との間を通じてタバコ喫煙による煙や汚れた空気をそれぞれケース本体内の空洞部へ吸入して浄化するようにしたものである。
【０００３】
【特許文献１】
特許第３２２９１８１号公報（図３）
【０００４】
【発明が解決しようとする課題】
ところが、前述の如き手段によるものは、集塵セルをケース本体内に斜めに配設して、ケース本体の投影面積よりも大きい表面積としてあるが、例えば、浄化処理スピードを上げて、タバコ喫煙による煙や汚れた空気が集塵セルを通過する速度をかなり速くし、集塵セルでの浄化処理が間に合わなかった場合、不完全に浄化処理された一部の煙や汚れた空気が、そのまま外部に排気されてしまう虞れがあった。
また、喫煙による煙や汚れた空気をケース本体内の空洞部へ吸入する際、その吸入強さや吸入量は、ファンの出力調節によって行うしかなく、その細かな調節は行い難い難点や、煙草の煙を含む周囲の空気を効率良く吸込むことが難しい難点があった。しかも、ファンの出力調節によって煙草の煙を含む周囲の空気を強く吸込んだ場合、浄化された空気が強く吹出されるようになる難点等もあった。
【０００５】
【課題を解決するための手段】
そこで、本発明は、前述の如き難点等を解消すると共に、浄化処理能力をより向上せしめ、汚れた大量の空気を余力を持って浄化処理でき、煙草の煙を含む周囲の空気を効率良く吸込んで、これを確実に浄化処理でき、この浄化された空気をスムーズに排出でき、また、空気の吸込み強さや、吸込み量の細かな調節が簡単に行え、加えて、比較的面積の大きい活性炭フィルター等を設置し易く、しかも、装置自身の構成が簡素で、量産に適し、コンパクトに構成でき、省スペースとなり、メンテナンスや取扱いも容易となり、比較的低廉に提供でき、経済的な喫煙用空気浄化装置を提供すべく創出されたものである。
【０００６】
しかして、請求項１記載の喫煙用空気浄化装置にあっては、指定された適宜喫煙場所等に設置されて、煙草の煙を含む周囲の空気を吸込んで浄化してから排気できるようにした喫煙用空気浄化装置であって、内部に煙導入路６を有する脚本体１と、この脚本体１を立設支持するベース板２と、脚本体１の煙導入路６に連通されると共に、上部の吸気用開口部がわに配される吸込ヘッド４と、脚本体１の下部に設けた排気用開口部に連通されると共に、湾曲凸面状に形成される排気カバー５と、脚本体１の煙導入路６に二段以上に配されると共に、複数の電気集塵器１１を利用した消煙ユニット１０と、脚本体１の下部に配されるファン１５とを備え、吸込ヘッド４には複数の吸気孔を設け、排気カバー５には複数の排気孔を設け、前記ファン１５の作動によって、吸込ヘッド４の吸気孔から煙草の煙を含む周囲の空気を吸込み、これを複数段の消煙ユニット１０で順次浄化した後、排気カバー５の排気孔から排出できるように構成する手段を採用した。
【０００７】
また、請求項２記載の喫煙用空気浄化装置にあっては、指定された適宜喫煙場所等に設置されて、煙草の煙を含む周囲の空気を吸込んで浄化してから排気できるようにした喫煙用空気浄化装置であって、内部に煙導入路６を有する脚本体１と、この脚本体１を立設支持するベース板２と、脚本体１の上部に互換装着可能に取付けられるテーブル板３と、脚本体１の煙導入路６に連通されると共に、上部の吸気用開口部に昇降自在に装着されて、テーブル板３から出没自在となるように形成される吸込ヘッド４と、少なくとも脚本体１の下部に設けた排気用開口部を覆うように、脚本体１側部に取外し可能に装着されると共に、湾曲凸面状に形成される排気カバー５と、脚本体１の煙導入路６に二段以上に配されると共に、複数の電気集塵器１１を利用した消煙ユニット１０と、脚本体１の下部に配されるファン１５とを備え、吸込ヘッド４には複数の吸気孔を設け、排気カバー５には複数の排気孔を設け、前記ファン１５の作動によって、吸込ヘッド４の吸気孔から煙草の煙を含む周囲の空気を吸込み、これを複数段の消煙ユニット１０で順次浄化した後、排気カバー５の排気孔から排出できるように構成する手段を採用した。
【０００８】
更に、請求項３記載の喫煙用空気浄化装置にあっては、吸込ヘッド４の内表面近傍にスライド板７を配すると共に、吸込ヘッド４に対してスライド板７が摺動自在となるように形成し、スライド板７に、吸込ヘッド４の吸気孔に略合致するような複数の吸気孔を設け、スライド板７の摺動操作によって、吸込ヘッド４の吸気孔とスライド板７の吸気孔との貫通開口部分の面積を自在に調節できるよう構成する手段を採用した。
【０００９】
そして、請求項４記載の喫煙用空気浄化装置にあっては、脚本体１の煙導入路６内に仕切壁６ａを配して、長い煙導入路６を形成し、この煙導入路６に多数の消煙ユニット１０を配する手段を採用した。
【００１０】
【発明の実施の形態】
以下、本発明を図示例に基づいて説明する。
本発明の喫煙用空気浄化装置は、例えば、公共施設やその他の建造物内等に於いて指定された適宜喫煙場所等に設置されて、喫煙者が吸う煙草の煙を含む周囲の空気を効率良く吸込んでくれて、これを確実に浄化してからスムーズに排気できるようにして、喫煙場所等がより快適な空間となるようにしたものである。
【００１１】
先ず、図１乃至図４に示す喫煙用空気浄化装置は、所謂テーブルタイプの喫煙用空気浄化装置を例示するものであって、具体的には、内部に略角筒状の煙導入路６を有する脚本体１と、この脚本体１を安定的に立設支持すべく、脚本体１の下端部分に固定されるベース板２と、脚本体１の上部に互換装着可能に取付けられるテーブル板３と、脚本体１の煙導入路６に連通されると共に、上部の吸気用開口部に適宜手段を介して昇降自在に装着されて、テーブル板３の上方に出没自在となるよう形成される吸込ヘッド４と、脚本体１の下部に設けた排気用開口部を含めて脚本体１側部を覆うように、脚本体１の左右側部に取外し可能に夫々装着されると共に、湾曲凸面状に形成される排気カバー５と、脚本体１の煙導入路６に上下二段（二段以上）に配されると共に、複数の電気集塵器１１を利用した消煙ユニット１０と、脚本体１の下部に配される一対のファン１５とを備えたものである。
【００１２】
そして、吸込ヘッド４には複数の吸気孔を設け、更に、排気カバー５には複数の排気孔を設けてあり、前記ファン１５の作動によって、吸込ヘッド４の吸気孔から煙草の煙を含む周囲の空気を吸込み、これを複数段の消煙ユニット１０で順次浄化した後、排気カバー５の排気孔から排出できるように構成されている。すなわち、煙草の煙を含む周囲の汚れた空気を吸込ヘッド４から吸込んで、これを消煙ユニット１０で浄化し、この浄化された空気を排気カバー５の排気孔からスムーズに排出できるよう構成されている。
【００１３】
前記脚本体１は、例えば、洗浄が容易で腐食し難いステンレス材等によって略矩形筒状に形成されており、その内部が煙導入路６となっている。また、上端の吸気用開口部がテーブル板３の開口部と合致しており、吸込ヘッド４を摺動自在に支持できるように構成されている。しかも、下端にはベース板２が固定され、更に、下部の左右側部には、排気用開口部が設けられている。
尚、脚本体１は、図７に示すような略長尺円筒状であっても良いし、その他適宜自由な形状を採用できるものである。
【００１４】
前記ベース板２は、例えば、洗浄が容易で腐食し難いステンレス材等によって、平面略矩形状や、平面略円形状や、その他の適宜形状に形成され、脚本体１を安定的に立設支持できるように構成されている。
尚、ベース板２の下部には、図７に示すような適宜キャスター等を設けて、その移動が容易となるように形成しても良い。
【００１５】
前記テーブル板３は、例えば、適宜木製（或いは、ステンレス材等の金属材でも良いし、合成樹脂材や複合材等でも良い。）の厚板材等によって平面略矩形状や、平面略円形状や、その他の適宜形状に形成されている。
尚、テーブル板３は、その使用目的や、設置場所等に応じた寸法、形状のものを自由に採用することができるものである。また、テーブル板３を脚本体１上端部に互換可能に装着できるように構成されているが、その具体的な手段は、適宜自由に設定、変更できるものである。
また、テーブル板３は、図７に示すように、脚本体１を細長く形成したような場合等にあっては、設けなくても良い。
ところで、テーブル板３を設けたテーブルタイプの喫煙用空気浄化装置にあっては、例えば、従来からあるテーブル板を備えた家具等に置き代えることができ、従来の空間をそのまま利用することができるようになる。
【００１６】
そして、前記吸込ヘッド４は、例えば、洗浄が容易で腐食し難いステンレス材等によって構成され、前記煙導入路６に摺動自在に内装可能となるよう形成されると共に、下部が開放されている略矩形箱状に形成され、その周壁面に、例えば、略横長円孔状の吸気孔を多数穿設して構成されている。すなわち、テーブル板３の上に置かれた灰皿内の煙草から出ている煙を吸込ヘッド４によって効率良く吸込むことができるように構成されている。
また、吸込ヘッド４を昇降せしめて、テーブル板３の開口部からの出没量を調節することにより、吸込ヘッド４全体によって吸込まれる周囲の空気の吸込み強さや、吸込み量の細かな調節が行えるように構成されている。しかも、吸込ヘッド４をテーブル板３の開口部内に没入せしめることにより、テーブル板３の上を広く利用できるようになる。
尚、図７に示すように、例えば、脚本体１を細長く形成したような場合、吸込ヘッド４を、煙導入路６に摺動自在となるよう形成しなくても良い。
更に、吸込ヘッド４は、胴部と、この胴部より大きな頭部とによって構成しても良い（図示せず）。
【００１７】
前記排気カバー５は、例えば、洗浄が容易で腐食し難いステンレス材等によって構成され、脚本体１の左右側部に合致すると共に、脚本体１の下部に設けた排気用開口部を確実に覆うような湾曲凸面状（略半円筒状）に形成され、更に、例えば、略横長円孔状の排気孔を多数穿設して構成されている。すなわち、排気用開口部からの空気が、排気カバー５内を通って複数の排気孔から強く吹出されるようなことなくスムーズに排気させることができるように構成されている。
また、排気カバー５は、脚本体１の左右側部に取外し可能に装着できるように構成されているが、その具体的な手段は、適宜自由に設定、変更できるものである。
しかも、排気カバー５の湾曲凸面状内表面がわには、比較的面積の大きいオゾン処理用の活性炭フィルターや消臭剤等を設置できるようになっている。加えて、排気カバー５には、比較的大きな空間があり、大型のフィルターや消臭剤等を設置し易く、その互換装着作業も容易に行えるようになる。
尚、図７に示すように、例えば、脚本体１を細長く形成したような場合には、排気カバー５を、脚本体１に着脱自在に装着しなくても良いし、フィルターや消臭剤等を設置しなくても良い。
【００１８】
前記煙導入路６は、例えば、図２、図３に示すように、脚本体１内の空間をそのまま利用するように形成したり、或いは、図６に示すように、脚本体１内に適宜仕切壁６ａを設けて、略蛇行した長い煙導入路６を形成し、この長い煙導入路６に多数の消煙ユニット１０を配することができるように形成したり、或いは、図７に示すように、かなり細長い脚本体１を形成し、この細長い煙導入路６に多数の消煙ユニット１０を配することができるように形成したり、その他自由な構成、形状を採用することができる。
【００１９】
図中７は、吸込ヘッド４の内表面近傍に配されると共に、吸込ヘッド４に対して上下方向に摺動自在となるように形成されるスライド板を示し、このスライド板７は、吸込ヘッド４の吸気孔に略合致するような略横長円孔状の吸気孔を多数穿設して構成されている。すなわち、スライド板７の摺動操作によって、吸込ヘッド４の吸気孔とスライド板７の吸気孔との貫通開口部分の面積を自在に調節できるよう構成されており、吸込ヘッド４によって吸込まれる周囲の空気の吸込み強さや、吸込み量の細かな調節が簡単に行えるようにしてある。
尚、スライド板７は、吸込ヘッド４の正面がわ及び背面がわの吸気孔部分を覆うように形成してあっても良いし、吸込ヘッド４の正面がわのみ、或いは背面がわのみの吸気孔部分を覆うように形成してあっても良い。
【００２０】
図中８は、前記スライド板７を摺動せしめるための回転ネジで、この回転ネジ８を正逆回転せしめることで、スライド板７が昇降するようになる。
【００２１】
図中９は、例えば、吸込ヘッド４の天板部分に配されているコントロールパネルで、このコントロールパネル９によって、装置のＯＮ・ＯＦＦ操作等が行われるように構成されている。
【００２２】
前記消煙ユニット１０は、例えば、複数の電気集塵器１１を縦横に配して構成されたもので、電気集塵器１１は、略角筒状の集塵電極１３と、この集塵電極１３の中心に配される放電電極１２とによって構成されている。
尚、略角筒状の集塵電極１３の内周面に、例えば、略角筒状の吸着紙を取外し可能に内装せしめておくようにしても良い。すなわち、集塵電極１３に付着する汚れを吸着紙に付着させるようにして、汚れた吸着紙は互換装着され、集塵電極１３のメンテナンスが簡単に行えるようにしても良い。
ところで、図示例（図２、図３）では、消煙ユニット１０を、脚本体１の煙導入路６に上下二段に配してあり、煙草の煙を含んだ汚れた大量の空気を余力を持って浄化処理できて、より確実な浄化処理が期待できるように構成してあるが、図７に示すように消煙ユニット１０を上下に多段に配しても良いし、図６に示すように略蛇行状の煙導入路６に沿って消煙ユニット１０を多段に配しても良い。すなわち、消煙ユニット１０全体の最大浄化処理能力を大幅に向上させることが限定されたスペースの中で簡単に行えるように形成されている。
【００２３】
また、消煙ユニット１０には、図５に示すような放電機構を設けてあっても良い。すなわち、この放電機構は、例えば、消煙ユニット１０の端部に揺動自在に装着されると共に、脚本体１に設けた開閉扉２５によってその一部が押圧されることで揺動する放電スイッチ片２０と、電気集塵器１１の放電電極１２に接続されると共に、消煙ユニット１０の適宜位置に固定されるプラス端子２３と、電気集塵器１１の集塵電極１３に接続されると共に、放電スイッチ片２０に接続されるマイナス端子２２と、前記放電スイッチ片２０の一部がプラス端子２３に接触するようにその弾発力を常時付勢している弾発スプリング２１とからなり、脚本体１に設けた開閉扉２５が閉じている際には、放電スイッチ片２０の一部を弾発スプリング２１の弾発力に抗して押圧して、放電スイッチ片２０とプラス端子２３とが接触しないように形成され、脚本体１に設けた開閉扉２５が開いた際には、放電スイッチ片２０から開閉扉２５が離れ、弾発スプリング２１の弾発力によって、放電スイッチ片２０とプラス端子２３とが接触して、電気集塵器１１の残留電気が自動的に放電されて、消煙ユニット１０のメンテナンス等が安全に行えるように構成されている。
【００２４】
前記ファン１５は、例えば、図２に示すように、脚本体１の下部に正面略Ｖ字状に配されて、左右の排気カバー５がわにスムーズに浄化された空気が流れるように構成しても良いし、或いは、図６、図７に示すように、脚本体１の下部に上下二段に配されて、浄化された空気がよりスムーズに且つ速く流れるように構成しても良い。
【００２５】
図中１６は、例えば、脚本体１に固定される電源ボックスで、この電源ボックス１６からファン１５や消煙ユニット１０に電流が流れるように構成されている。
【００２６】
尚、喫煙用空気浄化装置の具体的構成、形状、寸法、脚本体１の具体的構成、形状、寸法、材質、ベース板２の具体的構成、形状、寸法、材質、テーブル板３の具体的構成、形状、寸法、材質、吸込ヘッド４の具体的構成、形状、寸法、材質、吸気孔の具体的形状、寸法、数、配設位置、排気カバー５の具体的構成、形状、寸法、材質、排気孔の具体的形状、寸法、数、配設位置、煙導入路６の具体的構成、形状、寸法、仕切壁６ａの具体的構成、形状、寸法、材質、スライド板７の具体的構成、形状、寸法、材質、配設位置、回転ネジ８の具体的構成、形状、寸法、数、配設位置、コントロールパネル９の具体的構成、形状、寸法、配設位置、消煙ユニット１０の具体的構成、形状、寸法、数、配設位置、電気集塵器１１の具体的構成、形状、寸法、材質、数、配設位置、放電電極１２の具体的構成、形状、寸法、材質、集塵電極１３の具体的構成、形状、寸法、材質、ファン１５の具体的構成、形状、寸法、数、配設位置、電源ボックス１６の具体的構成、配設位置、放電機構の具体的構成、放電スイッチ片２０の具体的構成、形状、寸法、材質、配設位置、弾発スプリング２１の具体的構成、形状、寸法、材質、配設位置、端子２２、２３の具体的構成、形状、寸法、材質、配設位置、開閉扉２５の具体的構成、形状、寸法、材質、配設位置等は、図示例のもの等に限定されることなく、適宜自由に設定、変更できるものである。
【００２７】
【発明の効果】
従って、本発明の請求項１は、指定された適宜喫煙場所等に設置されて、煙草の煙を含む周囲の空気を吸込んで浄化してから排気できるようにした喫煙用空気浄化装置であって、内部に煙導入路６を有する脚本体１と、この脚本体１を立設支持するベース板２と、脚本体１の煙導入路６に連通されると共に、上部の吸気用開口部がわに配される吸込ヘッド４と、脚本体１の下部に設けた排気用開口部に連通されると共に、湾曲凸面状に形成される排気カバー５と、脚本体１の煙導入路６に二段以上に配されると共に、複数の電気集塵器１１を利用した消煙ユニット１０と、脚本体１の下部に配されるファン１５とを備え、吸込ヘッド４には複数の吸気孔を設け、排気カバー５には複数の排気孔を設け、前記ファン１５の作動によって、吸込ヘッド４の吸気孔から煙草の煙を含む周囲の空気を吸込み、これを複数段の消煙ユニット１０で順次浄化した後、排気カバー５の排気孔から排出できるように構成したので、煙草の煙を含む周囲の空気を吸込ヘッド４から吸込んで、これを消煙ユニット１０で確実に浄化でき、この浄化された空気を排気カバー５の排気孔からスムーズに排出できるようになる。
しかも、構成が簡素で、量産に適し、コンパクトに構成でき、省スペースとなり、メンテナンスや取扱いも容易となり、比較的低廉に提供でき、経済的な喫煙用空気浄化装置となる。
【００２８】
特に、複数の電気集塵器１１を利用した消煙ユニット１０を、脚本体１の煙導入路６に二段以上に配してあるので、浄化処理能力が向上し、煙草の煙を含んだ汚れた大量の空気を余力を持って浄化処理できるようになる。しかも、浄化処理スピードを上げて、煙草の煙を含んだ汚れた空気の消煙ユニット１０の通過速度を上げた場合であっても、これらを完全に浄化処理することが可能となり、浄化処理が不完全な煙草の煙を含んだ汚れた空気をそのまま外部に排気してしまうような虞れのないものとなる。すなわち、より安定的で且つ確実な浄化処理が期待できるようになる。
【００２９】
更に、排気カバー５は、脚本体１の下部に設けた排気用開口部に連通されると共に、湾曲凸面状に形成され、しかも、複数の排気孔を設けてあるので、排気用開口部からの空気が、複数の排気孔からスムーズに排気させることができるようになる。更に、排気カバー５には、例えば、比較的面積の大きいオゾン処理用の活性炭フィルターや消臭剤等を設置することができるようになる。
【００３０】
また、本発明の請求項２は、指定された適宜喫煙場所等に設置されて、煙草の煙を含む周囲の空気を吸込んで浄化してから排気できるようにした喫煙用空気浄化装置であって、内部に煙導入路６を有する脚本体１と、この脚本体１を立設支持するベース板２と、脚本体１の上部に互換装着可能に取付けられるテーブル板３と、脚本体１の煙導入路６に連通されると共に、上部の吸気用開口部に昇降自在に装着されて、テーブル板３から出没自在となるように形成される吸込ヘッド４と、少なくとも脚本体１の下部に設けた排気用開口部を覆うように、脚本体１側部に取外し可能に装着されると共に、湾曲凸面状に形成される排気カバー５と、脚本体１の煙導入路６に二段以上に配されると共に、複数の電気集塵器１１を利用した消煙ユニット１０と、脚本体１の下部に配されるファン１５とを備え、吸込ヘッド４には複数の吸気孔を設け、排気カバー５には複数の排気孔を設け、前記ファン１５の作動によって、吸込ヘッド４の吸気孔から煙草の煙を含む周囲の空気を吸込み、これを複数段の消煙ユニット１０で順次浄化した後、排気カバー５の排気孔から排出できるように構成したので、煙草の煙を含む周囲の空気を吸込ヘッド４から吸込んで、これを消煙ユニット１０で確実に浄化でき、この浄化された空気を排気カバー５の排気孔からスムーズに排出できるようになる。
しかも、構成が簡素で、量産に適し、コンパクトに構成でき、省スペースとなり、メンテナンスや取扱いも容易となり、比較的低廉に提供でき、経済的なテーブルタイプの喫煙用空気浄化装置となる。
【００３１】
特に、複数の電気集塵器１１を利用した消煙ユニット１０を、脚本体１の煙導入路６に二段以上に配してあるので、浄化処理能力が向上し、煙草の煙を含んだ汚れた大量の空気を余力を持って浄化処理できるようになる。しかも、浄化処理スピードを上げて、煙草の煙を含んだ汚れた空気の消煙ユニット１０の通過速度を上げた場合であっても、これらを完全に浄化処理することが可能となり、浄化処理が不完全な煙草の煙を含んだ汚れた空気をそのまま外部に排気してしまうような虞れのないものとなる。すなわち、より安定的で且つ確実な浄化処理が期待できるようになる。
【００３２】
更に、テーブル板３は、脚本体１の上部に互換装着可能に取付けられるので、使用目的、設置場所等に応じた寸法、形状のテーブル板３を互換装着して利用することができるようになる。
【００３３】
そして、吸込ヘッド４は、脚本体１の煙導入路６に連通されると共に、上部の吸気用開口部に昇降自在に装着されて、テーブル板３から出没自在となるように形成され、しかも、複数の吸気孔を設けてあるので、例えば、テーブル板３の上に置かれた灰皿内の煙草から出ている煙を吸込ヘッド４によって効率良く吸込むことができるようになる。加えて、吸込ヘッド４を昇降せしめることにより、テーブル板３の吸気用開口部からの胴部４ｂの出没量を調節して、吸込ヘッド４全体によって吸込まれる周囲の空気の吸込み強さや、吸込み量の細かな調節が行えるようになる。更に、不使用時には、吸込ヘッド４をテーブル板３に没入せしめておけ、テーブル板３の上を広く利用できるようになる。
【００３４】
それから、排気カバー５は、少なくとも脚本体１の下部に設けた排気用開口部を覆うように、脚本体１側部に取外し可能に装着されると共に、湾曲凸面状に形成され、しかも、複数の排気孔を設けてあるので、排気用開口部からの空気が、排気カバー５内を通って複数の排気孔から強く吹出されるようなことなくスムーズに排気させることができるようになる。更に、排気カバー５には、例えば、比較的面積の大きいオゾン処理用の活性炭フィルターや消臭剤等を設置し易くなると共に、その互換装着も容易に行えるようになる。
【００３５】
更に、本発明の請求項３は、吸込ヘッド４の内表面近傍にスライド板７を配すると共に、吸込ヘッド４に対してスライド板７が摺動自在となるように形成し、スライド板７に、吸込ヘッド４の吸気孔に略合致するような複数の吸気孔を設け、スライド板７の摺動操作によって、吸込ヘッド４の吸気孔とスライド板７の吸気孔との貫通開口部分の面積を自在に調節できるよう構成したので、吸込ヘッド４によって吸込まれる周囲の空気の吸込み強さや、吸込み量の細かな調節が簡単に行えるようになる。
【００３６】
そして、本発明の請求項４は、脚本体１の煙導入路６内に仕切壁６ａを配して、長い煙導入路６を形成し、この煙導入路６に多数の消煙ユニット１０を配したので、吸込ヘッド４から吸込んだ煙草の煙を含む汚れた空気を、多数の消煙ユニット１０によって煙導入路６を通過する間に確実に浄化できるようになる。
しかも、喫煙用空気浄化装置自体は、コンパクトなままとなり、省スペースを実現できるようになる。
特に、浄化処理能力が一段と向上し、煙草の煙を含んだ汚れた大量の空気を余力を持って浄化処理できるようになる。尚、浄化処理スピードを上げて、煙草の煙を含んだ汚れた空気の消煙ユニット１０の通過速度を上げた場合であっても、これらを完全に浄化処理することが可能となり、浄化処理が不完全な煙草の煙を含んだ汚れた空気をそのまま外部に排気してしまうような虞れのないものとなる。すなわち、一層安定的で且つ確実な浄化処理が期待できる喫煙用空気浄化装置となる。
【図面の簡単な説明】
【図１】本発明の喫煙用空気浄化装置を例示する斜視図である。
【図２】本発明の喫煙用空気浄化装置を例示する概略縦断正面図である。
【図３】本発明の喫煙用空気浄化装置を例示する概略縦断側面図である。
【図４】本発明の喫煙用空気浄化装置を例示する部分拡大縦断側面図である。
【図５】本発明の喫煙用空気浄化装置の消煙ユニットの放電機構を例示する部分底面図である。
【図６】本発明の他の喫煙用空気浄化装置を例示する一部切欠部分正面図である。
【図７】本発明の他の喫煙用空気浄化装置を例示する一部切欠正面図である。
【符号の説明】
１      脚本体                        ２      ベース板
３      テーブル板                    ４      吸込ヘッド
５      排気カバー                    ６      煙導入路
６ａ    仕切壁                        ７      スライド板
８      回転ネジ                      ９      コントロールパネル
１０    消煙ユニット                  １１    電気集塵器
１２    放電電極                      １３    集塵電極
１５    ファン                        １６    電源ボックス
２０    放電スイッチ片                ２１    弾発スプリング
２２    端子                          ２３    端子
２５    開閉扉
【図１】
2005000750.tif 000003
【図２】
2005000750.tif 000004
【図３】
2005000750.tif 000005
【図４】
2005000750.tif 000006
【図５】
2005000750.tif 000007
【図６】
2005000750.tif 000008
【図７】
2005000750.tif 000009